Podtech/llm-jp-corpus-v4-ja_patent huggingface dataset:
(57)【要約】      （修正有）【課題】災害時の救援物資として寝具を限られた場所に大量に保管し、運搬用資材を廃棄処分せず再利用するとともに、快適な就寝を可能とする災害用寝具備蓄セットを提供する。【解決手段】災害用備蓄セットは、アクリル１００％の枕・毛布・敷パット寝具セットとして真空パックする事で嵩高を抑え、運搬に使用した段ボール箱Ａを広げて中敷き段ボールと繋げて床に敷く事でクッション性を確保し、真空パックのビニール袋を広げて敷いて床からの湿気を防ぐことで快適な就寝場所の確保を図る。【選択図】図５
0003232034.tif 000002
【実用新案登録請求の範囲】
【請求項１】
被災者及び帰宅困難者用の取っ手付き枕、敷きパット、毛布を真空パックにした事を特徴とする災害用寝具備蓄セット。
【請求項２】
請求項１記載の災害用寝具備蓄セットは真空パックにする事により備蓄スペースを取らずに大量に保管できるようにした事を特徴とする災害用寝具備蓄セット
【請求項３】
請求項１及び２記載の災害用寝具備蓄セットにおいて運搬・備蓄用段ボール箱の蓋と同梱の中敷き段ボールを広げて繋げて床に敷くことにより床面の凹凸と湿気を吸収するクッションとして使用することを特徴とする災害備蓄寝具セット。
【考案の詳細な説明】
【技術分野】
【０００１】本考案は、使い捨てを前提とした災害用寝具セットとしてループ付き枕、敷きパット、毛布を真空パックにすることにより寝具の嵩を抑え、運搬・梱包用段ボールを敷きパットのクッションとして活用する事を組み合わせた災害用寝具の備蓄セットに関するものである。
【背景技術】
【０００２】近年、台風や地震など災害の規模が大きくなり被災者も増加傾向にある。また避難生活も長期に亘るため、それに備える救援物資は膨大な量になっている。しかし現状では救援物資備蓄倉庫の収容量は限られており、大量に災害救援物資を保管する事が困難になり救援物資のコンパクト化が求められている。また、避難所では被災者の滞在期間が長く避難所生活において、就寝時に快適な場所が確保されず固い床に直接寝るなど身体への負担が掛かるほか、気温の変化やホコリ・雑菌などの吸い込みにより病気に感染するリスクも高く健康状態を損ないやすくなっている。しかしながら一般家庭の寝具を避難所という限られた場所に搬入して使用する事は困難であり、就寝場所のスペースも限られているため、避難所での快適な就寝場所確保と改善が望まれ。更に被災者救援物資を使用の際、一時的に大量の段ボールやビニール等がゴミとして廃棄されるため、避難場所での段ボールやビニール等の廃材を減量が求められていた。
【考案の概要】
【考案が解決しようとする課題】
【０００３】本考案は、災害救援物資として備蓄される寝具セットは嵩が高く、一人用の寝具でも場所を取るので大量に保管することが困難なため限られた場所でも大量に備蓄できるコンパクトな寝具セットの提供。【０００４】避難場所となる所によって異なるが、床が板張り或いはコンクリートの場合、直接敷パットに寝ると床面の硬さ及び湿気で敷パットだけではクッション性が悪く、床からの湿気を吸う為寝具セットの使用感が悪くなるので搬送に使用した段ボール箱と同梱の中敷き段ボールと真空パックに使用したビニール袋を床に敷き、クッションとして利用する事で廃材を減らし快適な就寝場所の提供。【０００５】被災地で使用した災害救援物資は使用後大量に発生し廃棄処理に費用が発生するため、低コストで処理できるサーマルリサイクルに適した素材での提供を課題とする。
【課題を解決するための手段】
【０００６】上記課題解決として、寝具嵩高約４０ｃｍのものを真空パックにすることで６ｃｍまで圧縮し嵩を減らすことを特徴とした。真空パックを開封した時に十分な嵩高が確保出来る事を特徴とした。【０００７】真空パックされた寝具セットの運搬に使用した段ボールは同梱した中敷段ボールと貼り合わせて床に敷く事でクッション材として使用し、真空パックのビニール袋は開いて床に敷く事で床からの湿気を防ぐ防湿シートとして使用することで快適な就寝場所の確保する事特徴とした。【０００８】真空パックされた災害用寝具備蓄セットは長期保管後でも開封した時に十分な嵩高を復元し、使用後に分別の手間が掛からず、サーマルリサイクルが可能なポリエステル１００％素材を裏・表の表層と中綿に使う事で解決した。
【考案の効果】
【０００９】本考案による災害用備蓄寝具セットは災害用寝具をビニール袋に入れ、真空パックにする事で嵩高約４０ｃｍを約６ｃｍまで圧縮し、コンパクトにする事で５８×５５×３７の段ボール箱に５セットを梱包出来る。【００１０】上記記載の真空パックにすることで長期に備蓄した場合でも湿気を帯びていない状態で場所を取らず大量の災害用寝具備蓄セットを長期間備蓄が可能となる【００１１】災害用備蓄寝具セットの運搬用段ボール、真空パックに使用したビニール袋を床に敷いてそれぞれクッション材、防湿シートとして再利用する事で快適な就寝場所の確保と廃棄処理手間の軽減を可能となる。【００１２】寝具セットのループ付き枕は避難所から更に緊急避難時等にループを持つことで防災頭巾として使用を可能にした。
【図面の簡単な説明】
【００１３】
【図１】本考案の梱包セットを示した図である
【図２】本考案の梱包セットに同梱した中敷き段ボールを示した図であ
【図３】本考案の段ボール箱の蓋と中敷き段ボールを接続した図である
【図４】本考案の接続した段ボールに真空パックビニールを敷いた図である
【図５】本考案の図３で示した状態に寝具を敷いた図である
【図６】本考案の真空パックされたループ付き枕を示した図である。
【符号の説明】
【００１４】Ａ    梱包用段ボール箱
Ｂ    真空パックされた災害用寝具備蓄セット
Ｃ    中敷き段ボール
Ｄ    真空パック用ビニール
Ｅ    寝具
Ｆ    真空パックされたループ付き枕
【図１】
0003232034.tif 000003
【図２】
0003232034.tif 000004
【図３】
0003232034.tif 000005
【図４】
0003232034.tif 000006
【図５】
0003232034.tif 000007
【図６】
0003232034.tif 000008
【手続補正書】
【提出日】令和3年1月12日(2021.1.12)
【手続補正１】
【補正対象書類名】実用新案登録請求の範囲
【補正対象項目名】全文
【補正方法】変更
【補正の内容】
【実用新案登録請求の範囲】
【請求項１】
被災者及び帰宅困難者用の取っ手付き枕、敷きパット、毛布を真空パックにした事を特徴とする災害用寝具備蓄セット。
【請求項２】
ビニール袋に入れた災害用寝具を真空パックにする事で嵩高を圧縮した事を特徴とする災害災害用寝具備蓄セット。
【請求項３】
請求項１または２記載の災害用寝具備蓄セットにおいて、運搬・備蓄用段ボール箱の蓋と同梱の中敷き段ボールを貼り合わせたクッション材を有することを特徴とする災害用寝具備蓄セット。
(57)【要約】      （修正有）【課題】花鉢に立てる看板型札であって、看板部分の高さを調節することができる看板型札を提供する。【解決手段】飛び出す木札上部１の看板型札の柄の部分の下部を、四角柱２の内側の空洞の前側を使用するよう後ろ側に空洞部分を残して装着し、飛び出す木札下部３の柄のみを、飛び出す木札下部３の上部に設けた三角に張り出した部分４が後ろ側に来るように、飛び出す木札上部１の看板型札の後ろ側上部から、四角柱２の空洞部分後ろ側を使用するよう差し込み、四角柱２の全面と、三角に張り出した部分４を輪ゴムでとめ、飛び出す木札上部１を輪ゴムが伸びる限り抑え込むようにしてテープで止め、花に設置した際、テープを外すことによりゴムが正常に戻ることとなり、柄の部分が伸び、高さを保って看板型札を設置することを可能とした。【選択図】図１
0003232033.tif 000002
【実用新案登録請求の範囲】
【請求項１】
飛び出す木札上部正面図の▲１▼看板型札の柄の部分に▲２▼四角柱の内側を空洞にしたものを▲１▼看板型札の柄の部分下部に装着する。装着する際、前側の空洞を使用するよう後ろ側に空洞部分を残すようにする。
飛び出す木札下部正面図▲３▼の柄のみを▲１▼看板型札の後ろ側上部から▲２▼四角柱空洞部分後ろ側を使用するよう差し込む、その際、図▲４▼三角に張り出した部分は、後ろ側に来るようにする。
▲２▼四角柱の全面と▲４▼三角に張り出した部分を輪ゴムでとめる。
▲１▼飛び出す木札上部を輪ゴムが伸びる限り抑え込むようにして、テープで止める。花に設置した際、テープを外すことによりゴムが正常に戻ることとなり柄の部分が伸び、高さを保って看板型札を設置することを可能とした看板型札。
【考案の詳細な説明】
【技術分野】
【０００１】本考案は、花鉢に立てる既存の看板型札の柄の部分を２本にし、柄の部分の長さを調節できるように手を加えることにより、従来の柄が１本型の看板型札よりも、花鉢に設置した際に、看板型札の看板部分の高さを保った状態で飾れることを特徴とした、看板型札である。
【背景技術】
【０００２】看板型の札の柄の部分に切り込みを入れ、輪ゴムを装着することにより看板型札の柄の部分がゆっくりと伸び、看板部分の高さを調節することが出来る。
【先行技術文献】
【０００３】
【特許文献】
【特許文献】実願平５−５３８２４（実開平７−１６９６６）
【考案の概要】
【考案が解決しようとする課題】
【０００４】既存の看板型札は柄の長さを調節することが出来ず、大きなものは大きなまま運ぶしか方法がなく、宅配便で運ぶには限界があった。
宅配便で運ぶ時には小さく、飾るときには大きくできることが課題となった。
【考案を解決するための手段】
【０００５】看板型札の柄の部分を２つに分け、連結させることにより柄の長さを自由に調節することを可能とした。
【考案の効果】
【０００６】看板型札の柄の部分を縮小した長さで紙テープで止める。
花鉢を飾る際に紙テープを切ることにより、看板型札の柄の部分が伸び看板部分が花鉢より高さのある状態で飾ることが出来る。
【図面の簡単な説明】
【０００７】
【図１】飛び出す木札上部正面（縦）
【考案を実施するための形態】
【０００８】図に記したように看板型札の柄の部分を２本に分ける。
連結部分を利用して１本になるようセットする。
連結部分に柄を差し込むようにして長さの調節可能な柄とする。
連結部分に輪ゴムを引っかけることにより伸縮可能とした。
【実施例】
【０００９】［１］▲１▼飛び出す木札  上部  看板  方向から  空洞部分の中へ▲３▼を差し込む
［２］▲４▼の切込み部分と連結部分に輪ゴムを引っかける
［３］宅配箱の入れる際、▲１▼を輪ゴムの伸縮を利用するように押し下げて紙テープで止める
［４］花鉢を設置する際、紙テープを切ることにより、輪ゴム部分が縮むことにより、柄の部分が伸び、飛び出す木札の看板部分が高くなり飾ることが出来る
【符号の説明】
【００１０】▲１▼  飛び出す木札  上部
▲２▼  飛び出す木札  連結部  （四角柱  中央  空洞）
▲３▼  飛び出す木札  下部
▲４▼  切込み部分
【図１】
0003232033.tif 000003
【手続補正書】
【提出日】令和3年1月26日(2021.1.26)
【手続補正１】
【補正対象書類名】実用新案登録請求の範囲
【補正対象項目名】全文
【補正方法】変更
【補正の内容】
【実用新案登録請求の範囲】
【請求項１】
飛び出す木札上部（１）の看板型札の柄の部分の下部を、四角柱（２）の内側の空洞の前側を使用するよう後ろ側に空洞部分を残して装着し、飛び出す木札下部（３）の柄のみを、飛び出す木札下部（３）の上部に設けた三角に張り出した部分（４）が後ろ側に来るように、飛び出す木札上部（１）の看板型札の後ろ側上部から、四角柱（２）の空洞部分後ろ側を使用するよう差し込み、四角柱（２）の全面と、三角に張り出した部分（４）を輪ゴムでとめ、飛び出す木札上部（１）を輪ゴムが伸びる限り抑え込むようにしてテープで止め、花に設置した際、テープを外すことによりゴムが正常に戻ることとなり、柄の部分が伸び、高さを保って看板型札を設置することを可能とした看板型札。
(57)【要約】      （修正有）【課題】貼り替えが可能であり、表面の除菌清掃で清潔を保てるソーシャルディスタンス告知が印刷された底粘着シートを提供する。【解決手段】コート紙１に笑顔のグラフィックデザインを施し、ラミネート加工２後切り抜き、裏面に底粘着シート３貼り加工をした。【選択図】図１
0003232032.tif 000002
【実用新案登録請求の範囲】
【請求項１】
ソーシャルディスタンス警告告知底粘着グラフィックシートの考案。裏面に貼り替え可能な底粘着型紙をラミネート加工しカットする。
【考案の詳細な説明】
【技術分野】
【０００１】表面にグラフィック印刷した型紙にラミネート加工を施す。予防告知など広告を可能としたシンプルな形。底粘着シートを裏面に施し、テーブルなどに貼り替え自由なデザインシート。
【背景技術】
【０００２】コロナ禍の中、感染予防を心がける行動を推進する中、待合室や飲食店内外に貼り替え自由なソーシャルディスタンス告知を考える。硬くフラットな場所であれば貼り替え可能であり、シルエット、グラフィックに自由度があり、楽しく、距離を保つ為の簡単な底粘着デザインシート。
【先行技術文献】
【特許文献】
【０００３】
【特許文献１】アイ・デザイン合同会社社報０２紙製
【特許文献２】
【非特許文献】
【考案の概要】
【考案が解決しようとする課題】
【０００４】コロナ禍の中、感染予防を心がける行動を推進する中、待合室や飲食店の中にソーシャルディスタンス告知を簡易的に自作しテープなどで仮止めしている場面をよく目にする。見た目に綺麗ではなく、剥がれ落ちる場面も見受けられる。又、多くが紙製であり、活字などの最低限な情報でしかなく、汚れて不衛生にも感じる。貼り替えが可能であり、表面の除菌清掃で清潔を保てる告知シート開発の発端となる。
【課題を解決するための手段】
【０００５】本考案は、底粘着の全面糊付きシートの仕様により、テーブルトップやガラス面などに貼り直しが出来るデザインシートを開発。ラミネート加工しカットする事で、清潔感も維持でき除菌スプレーを使用し拭き取り可能とする。
【考案の効果】
【０００６】表面は楽しいグラフィックで告知、広告が可能であり、楽しくソーシャルディスタンスを保つアイテムであり、貼り替え自由な裏面は弱粘着で適度な距離を設定し、その都度貼り替えや場所移動が可能。表面にはラミネート加工を施し、除菌スプレー及び拭き取りに対応し、清潔を保つ。また、簡単な形とする事でカットなど制作の時短に結びつける事が出来る。
【図面の簡単な説明】
【０００７】
【図１】図１は正面図に寸法と断面構造を表す。
【図２】図２は本考案の使用例を表す。
【考案を実施するための形態】
【０００８】コート紙にグラフィックデザインを施し、ラミネート加工後サイズカット裏面に弱粘着シート貼り加工。
【実施例】
【０００９】以下添付図面に従って実施例を説明する。
（１）は厚めコート紙にグラフィックデザインをプリント、告知及び広告
（２）は全体を覆う透明ラミネートフィルム圧着
（３）は裏面に弱粘着シート貼り
【産業上の利用可能性】
【００１０】本案は、飲食店や各種待合室など幅広い業態に対応可能と考えます。また、ロゴタイプなど、告知や広告等が自由であり、楽しんでソーシャルディスタンスを実施していただきたい。使用後は可燃ゴミとして廃棄処理が可能です。
【符号の説明】
【００１１】（１）は厚めコート紙にグラフィックデザイン
（２）は全体を覆う透明ラミネートフィルム貼り
（３）は裏面に弱粘着シート貼り
【図１】
0003232032.tif 000003
【図２】
0003232032.tif 000004
【手続補正書】
【提出日】令和2年11月18日(2020.11.18)
【手続補正１】
【補正対象書類名】実用新案登録請求の範囲
【補正対象項目名】全文
【補正方法】変更
【補正の内容】
【実用新案登録請求の範囲】
【請求項１】
コート紙にグラフィックデザインを施し、ラミネート加工後サイズカット裏面に弱粘着シート貼り加工をした事を特徴としたソーシャルディスタンス告知（底粘着デザインシート）
【手続補正書】
【提出日】令和3年1月20日(2021.1.20)
【手続補正１】
【補正対象書類名】実用新案登録請求の範囲
【補正対象項目名】全文
【補正方法】変更
【補正の内容】
【実用新案登録請求の範囲】
【請求項１】
コート紙に笑顔のグラフィックデザインを施し、ラミネート加工後切り抜き、裏面に底粘着シート貼り加工をした事を特徴としたソーシャルディスタンス告知が印刷された底粘着デザインシート
(57)【要約】      （修正有）【課題】電気を使用しないで、横に寝転んだまま太ももや脹脛間に挟んで身体の自重でツボを押しできる筋肉疲労回復器具を提供する。【解決手段】略直方体形状した本体個体部１の１つの面に先端が略球面状の突起部２を複数個設け、対向するもう一方の面にも同様の先端が略球面状の突起部を複数個設けた。【選択図】図１
0003232008.tif 000002
【実用新案登録請求の範囲】
【請求項１】
本体個体部の対向する２つの面に複数個の突起部を設け、横に寝転んだまま太ももや脹脛間に挟さみ足の自重で「ツボを押す」ことが出来るようにしたことを特徴とする、筋肉疲労回復器具
【考案の詳細な説明】
【技術分野】
【０００１】  本考案は、身体のツボを押して筋肉疲労を回復するための健康器具に関する物である。
【背景技術】
【０００２】  電気を使用しないツボ押し噐としては、従来足踏みマッサージ噐や肩や背中を押してマッサージするマッサージ器等であるが、横に寝転んだまま太ももや脹脛間に挟んで足の内側を体の自重によりツボ押しするものはなかった。
【考案の概要】
【考案が解決しようとする課題】
【０００３】  従来例では、ツボ押しマッサージするために足踏みしたりツボを押したりと行動をしなければならなかったが、寝転んだ状態で太ももや脹脛間に挟んで、身体の自重でツボ押しの出来るものが無かった。
【課題を解決するための手段】
【０００４】  太もも間に挟める大きさの個体に、両太ももと接触する面に複数個の突起部を設け、太もも内側のツボを押せるようにしたことを特徴とする。
【考案の効果】
【０００５】  足の内側（太もも間や脹脛間）に横になったまま（寝転んだまま）挟むことにより、何もしなくても体の自重で足の内側のツボを押すことができる。ツボの押す位置は、本体を挟む位置を適度に変更することができる為寝転びながら足の内側全体を押すこともでき、足の疲労が軽減され足腰が動き易くなった。
【図面の簡単な説明】
【０００６】
【図１】本考案の一実施例を示す図である。
【本考案を実施するための形態】
【０００７】  本体個体部の対抗する２つの面に、複数個の突起部を設けたことを特徴とする。
【実施例】
【０００８】  以下、添付図に従って一実施例を説明する。１は銀杏や桧の木を使用した本体個体部の対向する２つの面に、各々２個の穴をあけ、２の銀杏や桧の円柱ピンの片端を丸く加工したものを、前記本体個体部１の穴に挿入固定したものである。【０００９】  もちろん、他の材質や、前記実施例の穴を貫通穴とし円柱ピンの両端を丸く加工したものを挿入固定したり、本体個体部と突起部を一体にしてプラスチック等適宜素材にて一体成形したものでも同じ効果を得ることができる。
【符号の説明】
【００１０】  １  本体個体部
２  ツボ押し突起部
【図１】
0003232008.tif 000003
【手続補正書】
【提出日】令和3年1月19日(2021.1.19)
【手続補正１】
【補正対象書類名】実用新案登録請求の範囲
【補正対象項目名】全文
【補正方法】変更
【補正の内容】
【実用新案登録請求の範囲】
【請求項１】
略直方体形状した本体個体部の１つの面に先端が略球面状の突起部を複数個設け、対向するもう一方の面にも同様の先端が略球面状の突起部を複数個設けたことを特徴とする、筋肉疲労回復器具。
(57)【要約】      （修正有）【課題】男性が小用時に前向きにちょこんと座って用を足すことができる便座を提供する。【解決手段】腰掛大便器（洋式）便座の先端部分になだらかな台座を作り、これに跨って座り、小用の飛沫が飛び散るのを防止する。【選択図】図１
0003232007.tif 000002
【実用新案登録請求の範囲】
【請求項１】
腰掛大便器（洋式）便座の先端部分に台座を作りこれに跨って座り、小用の飛沫が飛び散るのを防止する台座
【考案の詳細な説明】
【技術分野】
【０００１】  本考案は馬蹄型の物体に関するものである。
【背景技術】
【０００２】  腰掛大便器（洋式）トイレで男性が立ったまま小用を足すと飛沫が飛び不潔であるが決定的な解決策は見当たらない。
【考案の概要】
【考案が解決しようとする課題】
【０００３】  一般家庭では男性の小用時の飛沫について一度は家庭内争議の対象になり結局男性が折れて渋々と座って小用を足すのが事情である。
【課題を解決するための手段】
【０００４】  本考案は便座の先端部分になだらかな台座を作り男性が小用時に前向きにちょこんと座って用を足す方法の提案である。
【考案の効果】
【０００５】  この台座に座って用を足せば、後ろ向きに座って用を足すのと同様に飛沫はほとんど飛びちらないし、ズボンと下着も下ろす必要がない。
【図面の簡単な説明】
【０００６】
【図１】
【考案を実施するための形態】
【０００７】  便座を降ろしたままで前向きに便座の先端部分の台座に跨って座り、立って用を足すのと同じ様にチャックを下ろして用を足す。
【０００８】以下添付図面に従って実施例を説明する。
トイレに入り図１の斜線部分に軽く座ってチャックを下ろして用を足す。この方法ならズボンと下着を下ろして後ろ向きに座って小用を足すより格段に早く便利である。
【図１】
0003232007.tif 000003
【手続補正書】
【提出日】令和3年1月20日(2021.1.20)
【手続補正１】
【補正対象書類名】実用新案登録請求の範囲
【補正対象項目名】全文
【補正方法】変更
【補正の内容】
【実用新案登録請求の範囲】
【請求項１】
腰掛大便器（洋式）便座の先端部分になだらかな台座を作りこれに跨って座り、小用の飛沫が飛び散るのを防止する便座。
【手続補正２】
【補正対象書類名】明細書
【補正対象項目名】０００６
【補正方法】変更
【補正の内容】
【０００６】
【図１】は便座の先端になだらかな台座を作った便座である。
(57)【要約】      （修正有）【課題】従来の電気自動車は、モーターの回転を歯車、ベアリングを用い減速してデフレンシャルギヤ、ホイールに伝えている。この高速回転の歯車、ベアリングは熱の発生源であり冷却に電気を消費している。貴重な蓄電池の消耗を減らす発生熱の少ない駆動モーターが求められている。【解決手段】一組の滑り軸受けでホイール１１とモーターを支えるもので、アウターレース１に界磁コイル３０、３１を設けた回転子枠１０、ホイールを組付け、アウターレースと押さえリングでインナーレース２を挟んだ滑り軸受けであり、前記インナーレースに電機子４を設けた固定子６と懸架装置１２を設けた支持板９を組付けたことを特徴とする。熱の発生源が少ない電気自動車。【選択図】図１
0003232061.tif 000002
【実用新案登録請求の範囲】
【請求項１】
自動車のホイールとモーターを支える滑り軸受けのアウターレースに界磁コイルを設けた回転子枠とホイールを組付け、インナーレースに電機子を設けた固定子と懸架装置を設けた支持板を組付けた一組の滑り軸受けが特徴の電気自動車。
【請求項２】
請求項１記載の電気自動車において、前記アウターレースにブレーキリング、ブレーキディスクを組付け、前記支持板にブレーキ装置を設けた電気自動車。
【考案の詳細な説明】
【技術分野】
【０００１】  本考案は、電気自動車のインホイールモーターに関する。
【背景技術】
【０００２】  今日、電気自動車の開発が進んでいますが、大型トラック、バスを駆動するインホイールモーターの開発が求められている。【０００３】  排気量が小さい軽自動車は国民の足として重要な交通手段として使われている。低価格で故障の少ない電気で動く軽自動車が望まれている。
【先行技術文献】
【０００４】
【特許文献１】再表２０１６−１７０８０７
【特許文献２】特許第５２２８８３９号
【考案の概要】
【０００５】  考案のモーターは一組の滑り軸受けで車重とモーターを支え懸架装置に連結される構造で、熱の発生源となる転がり軸受け、歯車を無くしモーターの力が直接ホイールに伝わり、故障要因を減らした電気自動車。
【考案が解決しようとする課題】
【０００６】    特許文献１に示した電気自動車は、モーターの高速回転を歯車で減速してホイールに伝えている。内包されたブレーキ、高速回転するモーター、歯車、転がりベアリングから発生する熱の冷却に必要な電気消費を抑える電気自動車が望まれている。
【課題を解決するための手段】
【０００７】  本考案は従来の問題点に着目し、一組の滑り軸受けでモーターと車重を支える構造で、アウターレースに界磁コイルを設けた回転子枠、ホイールを組付け、前記アウターレースと押さえリングでインナーレースを挟んだ滑り軸受け構造で、前記インナーレースに電機子を設けた固定子と懸架装置を設けた支持板を組付けた電気自動車。【０００８】  また、前記アウターレースにブレーキリング、ブレーキディスクを組付け、前記インナーレースに組付けた前記支持板にブレーキ装置を設けた電気自動車。
【考案の効果】
【０００９】  上記構成により、本考案は熱の発生源である高速回転のモーター、減速機が無い構造は発生熱が低減され冷却に要する蓄電池の消耗が少ない。【００１０】  アウターレースに設けたブレーキディスクは外気に触れ放熱が良く、日常の点検が容易に出来る。【００１１】    一組の滑り軸受けに機器が直結され音の発生が無く、故障の要因となる機械接触が無い構造は摩擦、摩耗が無く維持費用が低減される。
【図面の簡単な説明】
【００１２】
【図１】本考案の実施例１，２を示す断面図で、一部想像図。
【図２】本考案の実施例１，２を示す一部拡大断面図で、一部想像図。
【図３】本考案の実施例１，２を示す一部拡大断面図で、一部想像図。
【図４】本考案の実施例１，２を示す斜視図。
【図５】本考案の実施例２を示すモーター断面図。
【考案を実施するための形態】
【実施例１】
【００１３】  図１、図２、図３、図４に示すように自動車のホイールとモーターを一組の滑り軸受けで支えるもので、アウターレース１にホイール１１と界磁コイル３０、界磁コイル３１を設けた回転子枠１０を組付け、前記アウターレース１と押さえリング７でインナーレース２を挟んだ滑り軸受け構造で、前記インナーレース２に電機子４を設けた固定子６と支持板９を組付け懸架装置１２と連結した電気自動車。
【実施例２】
【００１４】  図１、図２、図３、図４に示すようにアウターレース１にブレーキリング１５、ブレーキディスク１３を、インナーレース２に組付けた支持板９にブレーキ装置１４を組付け、放熱性が良い外部にブレーキ機器を設けた電気自動車で、複数のブレーキ装置を設けブレーキ力の向上が図れる。
【実施例３】
【００１５】  図１、図２、図３に示すようにインナーレース２に設けた支持板９とアウターレース１に設けた回転子枠１０にスリップリング３３を組付け前記回転子枠１０を経て大形界磁コイル３０、小型界磁コイル３１に電気を送るもので、モーターが低速では大形界磁コイル３０と小型界磁コイル３１の両方に電気を送り、中速では大形界磁コイル３０だけに電気を送り、高速では小型界磁コイル３１に電気を送り界磁弱めとなる電気自動車。
【実施例４】
【００１６】  図２、図３に示すようにアウターレース１に組付けた押さえリング７とインナーレース２にエアーシール２３を設け、必要な時だけ空気を送り埃、水分の侵入を防ぐ電気自動車。
【実施例５】
【００１７】  図５に示すようにアウターレース１に組付けた回転子枠１０に界磁に用いる永久磁石３を設けた、電気自動車。
【産業上の利用可能性】
【００１８】  大型トラック、バスの前部にある前輪４輪を駆動し右側２輪、左２側輪が前後してもデフレンシャルギヤが不要で、後輪は小径タイヤが可能となり荷台の有効高さが取れる。【００１９】  今日、国民の足として利用されている軽自動車の後輪に取付け、前輪は従来のエンジンで走行し、ブレーキング、下り坂で回生ブレーキとして作動し、不整地、雪道、凍結路では４輪駆動車が可能となり生活に密着した電気で動く軽自動車となる。
【符号の説明】
【００２０】１、アウターレース        ２、インナーレース    ３、永久磁石
４、電機子                ５、メタル            ６、固定子
７、押さえリング          ８、オイルシール      ９、支持板
１０、回転子枠            １１、ホイール        １２、懸架装置
１３、ブレーキディスク    １４、ブレーキ装置    １５、ブレーキリング
２１、冷却潤滑送油管      ２３、エアーシール    ２４、冷却送風管
２５、タイヤ            ３０，３１、界磁コイル  ３３、スリップリング
３４，３５，３６、接続線      ４０、送風菅
【図１】
0003232061.tif 000003
【図２】
0003232061.tif 000004
【図３】
0003232061.tif 000005
【図４】
0003232061.tif 000006
【図５】
0003232061.tif 000007
(57)【要約】      （修正有）【課題】水滴拭き取り面積を広く確保して一気に水滴の吸水をすることにより拭き取り作業に少ない労力と時間で作業効率よく行うことのできる洗車用水滴吸水シートを提供する。【解決手段】洗車後の車体に付着している水滴を吸水するシートであり、袋状に形成された水滴吸収用具によれ防止補強パッドを挟み込んだシートを洗車後の車体に張り付けておくだけで一気に広範囲の水滴を吸水することにより水滴の拭き取り作業の効率を向上させる。また、マグネットを側面に付けており車体に固定することによって、強風が吹いても吸水シートが飛ばされることなく水滴吸水を可能にする。【選択図】図１
0003232062.tif 000002
【実用新案登録請求の範囲】
【請求項１】
洗車後の車体に付着している水滴を吸水するシートであり、よれ防止補強パッドを挟み込んだ水滴吸収用具を広げ、洗車後の車体に張り付けておくだけで一気に広範囲の水滴を吸水することにより水滴の拭き取り作業の効率を向上させることを特徴とした洗車用水滴吸水シート。
【請求項２】
マグネットを側面に付けて車体に固定することにより、強風が吹いても吸水シートが飛ばされることなく水滴吸収を可能にすることのできる請求項1に記載の洗車用水滴吸水シート。
【考案の詳細な説明】
【技術分野】
【０００１】
本考案は、洗車後に自動車の車体に付着している水滴の拭き取り作業を高めるための対策を講じた洗車用水滴吸水シートに関する。
【背景技術】
【０００２】
自動車の洗車後、車体に残った水滴の拭き取りに使用されている従来の洗車用タオルなどの水滴拭き取り用具は、吸水性の高い素材や傷が付きにくい素材などが開発されることがあった。（たとえば、特許文献１参照）しかし、作業効率の良い形状に改良されることが無かった。
【０００３】
タオルなどの水滴拭き取り用具を用いて一人で拭き取り作業を行う場合、水滴拭き取り用具を一定の大きさに折り畳んで使用するか、または水滴拭き取り用具の両端を丁寧に広げながら作業を行う必要があり、水滴を拭き上げるための作業効率が低かった。また、水滴拭き取り用具を絞って再度拭き取りを行うという作業の繰り返しが必要となるため、労力を伴い大変手間であった。
【０００４】
そこで水滴拭き取り用具の実作業面積を広く確保して水滴の吸水または拭き取るための作業効率を高めることを目的とする洗車用タオルが提案されている。（実用新案登録第３１６６１４４号）また、2人の作業者によって一気に水滴拭き取り作業を行うことができる洗車用吸水性クロスが提案されている。（実用新案登録第３１４６０１３号）
【０００５】
本考案はよれ防止補強パッドの入った水滴吸水シートを簡単に広範囲に広げ、上記の考案に比べ更に広範囲の吸水面積を確保して一気に水滴を吸水することが可能であり、少ない労力と時間で作業性よく水滴を拭き取る洗車用水滴吸水シートを提供することを目的とする。
【先行技術文献】
【特許文献】
【０００６】
【特許文献１】特開２００４−００８５０１号公報
【特許文献２】実用新案登録第３１６６１４４号
【特許文献３】実用新案登録第３１４６０１３号
【考案の概要】
【考案が解決しようとする課題】
【０００７】
洗車後の自動車の車体に付着している水滴を拭き取る作業には多くの労力と共に時間が費やされてしまう。従来の水滴拭き取り用具を用いる水滴拭き取り作業ではある程度水滴を吸水した後に手で絞り、再度拭き上げ作業を行うという作業工程を繰り返す必要があり、広い範囲の水滴を拭き取る作業性を高めることに困難があった。
【課題を解決するための手段】
【０００８】
本考案に係る洗車用水滴吸水シートは、以上の状況の下でなされたものであり、水滴拭き取り面積を広く確保して一気に水滴の吸水をすることにより拭き取り作業に少ない労力と時間で作業性よく行うことのできる洗車用水滴吸水折り畳みシートを提供することを目的とする。
【０００９】
本考案はよれ防止補強パッドを挟み込んだ水滴吸収用具を車体の上に広げることで広範囲の水滴吸水を行う。
【００１０】
本考案はマグネットを側面に付けており、車体に固定することによって強風が吹いても吸水シートが飛ばされることなく水滴吸水を可能にする。（図１参照）
【００１１】
本考案はよれ防止パッドを取り外して水滴吸収用具を洗濯機で洗うことが可能である。
【００１２】
本考案はよれ防止補強パッドを固定するための面ファスナーが付いている。
【考案の効果】
【００１３】
水滴吸水シートを広げて車体に固定させることで実作業面積を多く確保し、広範囲の水滴を一気に吸水するため、時短となり作業効率が大きく向上する。
【００１４】
また、マグネットを側面に付けており車体に固定することによって、強風が吹いても吸水シートが飛ばされることなく水滴吸水を可能にする。
【００１５】
手の届きにくい車屋根部分などの水滴吸水が可能となる。
【００１６】
また本考案の水滴吸水シートは両面使用が可能なので拭き取り可能範囲が広い。
【図面の簡単な説明】
【００１７】
【図１】図１は本考案の一実施形態に係る洗車用水滴吸水シートを広げた状態を示す図である。水滴吸収用具によれ防止補強パッドを挟み込んで広げやすい形態であり、またマグネットを側面に付けているので車体に固定することによって強風が吹いても吸水シートが飛ばされることなく水滴吸水を可能にする。
【図１】
0003232062.tif 000003
【手続補正書】
【提出日】令和3年3月17日(2021.3.17)
【手続補正１】
【補正対象書類名】実用新案登録請求の範囲
【補正対象項目名】全文
【補正方法】変更
【補正の内容】
【実用新案登録請求の範囲】
【請求項１】
洗車後の車体に付着している水滴を吸水するシートであり、袋状に形成された水滴吸収用具によれ防止補強パッドを挟み込んだシートを洗車後の車体に張り付けておくだけで一気に広範囲の水滴を吸水することにより水滴の拭き取り作業の効率を向上させることを特徴とした洗車用水滴吸水シート。
【請求項２】
マグネットを側面に付けて車体に固定することにより、強風が吹いても吸水シートが飛ばされることなく水滴吸収を可能にすることのできる請求項1に記載の洗車用水滴吸水シート。
(57)【要約】      （修正有）【課題】適切に自己管理できない対象者が無断で移動したり、万一移動して事故に巻き込まれるのを防ぐ事故・事件防止具を安価に提供する。【解決手段】事故・事件防止具１は、正面に反射材もしくは蛍光材が塗布された高視認層、背面に粘着剤が塗布された粘着層を有する本体シート２と、本体シートの正面において本体シートに揺動可能に固定されたベル３と、本体シートの背面に粘着層を介して着脱自在に貼られた剥離シートとを備える。【選択図】図１
0003232051.tif 000002
【実用新案登録請求の範囲】
【請求項１】
正面に反射材もしくは蛍光材が塗布された高視認層、背面に粘着剤が塗布された粘着層を有する本体シートと、
本体シートの正面において揺動可能に本体シートに固定されたベルと、
前記本体シートの背面に前記粘着層を介して着脱自在に貼られた剥離シートと
を備えることを特徴とする事故・事件防止具。
【請求項２】
前記本体シートは、前記剥離シートを剥がした状態で対象者の衣服、靴又は鞄の外面に前記粘着層を介して固定可能である、請求項１に記載の事故・事件防止具。
【考案の詳細な説明】
【技術分野】
【０００１】
この考案は、靴の外面やランドセル、リュックのような鞄の外面などに取り付けて、交通事故や、失踪、徘徊などの事件を防止するためのものに関する。
【背景技術】
【０００２】
交通事故を防ぐために、反射材テープ付き安全靴なるものが販売されている（非特許文献１）。靴外面の要所に反射材からなるテープが製造段階で貼り付けられており、車の運転者からの視認性を良くして運転者が早く気づくようにしたものである。また、猫などのペットの首輪にベルを付けることにより、ペットの現在位置を飼い主が把握しやすいようになることは、昔からよく知られている。
【先行技術文献】
【非特許文献】
【０００３】
【非特許文献１】「反射材テープ付き安全靴を通販」、インターネットhttps://www.uni-work.co.jp/web/sn/reflector.Html、2021年02月15日検索
【考案の概要】
【考案が解決しようとする課題】
【０００４】
しかし、幼児、精神障害者、認知症患者などの対象者が、保護者、看護師、介護士などに無断で目の届かない所へ移動したり、移動中に事故に巻き込まれるのを防ぐ手段は、知られていない。
この考案の課題は、適切に自己管理できない対象者が無断で移動したり、万一移動して事故に巻き込まれるのを防ぐ事故・事件防止具を安価に提供することにある。
【課題を解決するための手段】
【０００５】
その課題を解決するために、この考案の事故・事件防止具は、
正面に反射材もしくは蛍光材が塗布された高視認層、背面に粘着剤が塗布された粘着層を有する本体シートと、
本体シートの正面において本体シートに揺動可能に固定されたベルと、
前記本体シートの背面に前記粘着層を介して着脱自在に貼られた剥離シートと
を備えることを特徴とする。
この考案において、ベルは、内部に玉を収容した中空球の鈴でもよいし、内部に舌をぶら下げた半球状の鐘でもよい。また、ベルは一つであってもよいし、複数であってもよい。
【０００６】
この事故・事件防止具を幼児、精神障害者、認知症患者などの対象者に使用するときは、前記剥離シートを剥がし、対象者の衣服、靴又は鞄の外面に前記粘着層を介して前記本体シートを固定する。そうすると、対象者が体を動かす毎にベルが鳴るので、対象者が側に居ることを保護者、看護師、介護士など世話をする者が確認しやすいし、ベルの音の大小に基づいて対象者の位置の遠近を把握することができる。また、本体シートの正面に高視認層が設けられているので、対象者が屋外に出ているときも車の運転手が対象者の存在に気づきやすい。
【考案の効果】
【０００７】
以上のように、この考案の事故・事件防止具によれば、ベルの音の有無、大小に基づいて対象者の位置を把握することができるので、対象者が無断で目の届かない所へ移動するのを防止することができるし、万一移動して屋外に出ても車の運転手に容易に視認されるので、事故に遭うことを防止することができる。そして、この事故・事件防止具は、主に前記本体シートとベルからなるだけなので、軽くて対象者の負担になることもなく、しかも安価であることから利用しやすい。
【図面の簡単な説明】
【０００８】
【図１】実施形態の事故・事件防止具の正面図である。
【図２】同じく側面図である。
【考案を実施するための形態】
【０００９】
以下、この考案を実施形態に基づいて具体的に説明する。事故・事件防止具１は、本体シート２と、ベル３と、剥離シート４とを備える。
本体シート２は、厚さ１ｍｍ前後で縦横各３〜５ｃｍ程度の正面視方形の紙もしくはプラスチックからなり、正面に反射材が塗布され、背面に粘着剤が塗布されている。反射材に代えて蛍光材が塗布されていても良いし、両者が混合塗布されていても良い。図示の例では正面は無地であるが、ハートなどの模様やキャラクターなどの画像が描かれていても良い。
【００１０】
ベル３は、内部に玉を収容した金属製中空球の鈴３ａを吊り金具３ｂで吊し、鈴３ａが本体シート２の正面に位置するように吊り金具３ｂをナイロン糸３ｃで本体シート２に結びつけたものである。ベル３の正面視における全体の大きさは、縦横ともに本体シート２の輪郭内に十分なマージンをとって収まる程度である。図示の例では鈴３ａは一個しか描かれていないが、複数個であってもよい。
【００１１】
剥離シート４は、一方の主面に剥離剤が塗布された、本体シート２とほぼ同じ形状及び大きさの紙からなり、剥離剤を介して本体シート２の背面に貼られている。
事故・事件防止具１を使用するときは、剥離シート４を剥がして、幼児、精神障害者、認知症患者などの対象者の衣服、靴又は鞄の外面に前記粘着剤の層を介して本体シート２を固定する。そうすると、対象者が体を動かす毎に鈴３ａが鳴るので、対象者が側に居ることを保護者、看護師、介護士など世話をする者が確認しやすいし、鈴３ａの音の大小に基づいて対象者の位置の遠近を把握することができる。また、本体シート２の正面に反射材が塗布されているので、対象者が屋外に出ているときも車の運転手が対象者の存在に気づきやすい。
【００１２】
この実施形態では事故・事件防止具１を正面視で左右対称形状としたが、左右非対称であってもよい。例えば、ベル３を本体シート２の中央より左側に付けた事故・事件防止具１と、同じく右側に付けた事故・事件防止具１とを対にして、同一対象者の左右の靴のそれぞれに使用することにより、対象者が靴を左右履き間違えるのを防止することもできる。
【符号の説明】
【００１３】
１  事故・事件防止具
２  本体シート
３  ベル
４  剥離シート
【図１】
0003232051.tif 000003
【図２】
0003232051.tif 000004
(57)【要約】      （修正有）【課題】低価格化、軽量化、取扱いの簡便化を実現するゴミ袋スタンドを提供する。【解決手段】スタンド本体１に示す筒の側面に蛇腹状の折り目２を付けることにより筒の強度を増すことができ、段ボールやプラスチック等の安価で軽い素材で１を形成する。また、折り目２で筒の周の長さを自在に伸縮させる事ができ、ゴミ袋４の取り付けが容易になるとともに、１は底がない形状のため、ゴミを入れて重くなったゴミ袋を持ち上げることなく、１を上方に持ち上げて簡単に取り外すことが出来る。また、折り目２に沿って１を折り畳むことが出来、運搬や収納が容易となる。【選択図】図２
0003232058.tif 000002
【実用新案登録請求の範囲】
【請求項１】
底のない筒型の形状をしたゴミ袋スタンドの側面に、筒の縦方向に沿った折り目を蛇腹状に付け、筒の上下の淵をガムテープ等の適宜素材で補強し、段ボールや防水加工された段ボール、プラスチック等の安価、軽量の適宜素材で形成したところを特徴とする蛇腹状筒型ゴミ袋スタンド。
【考案の詳細な説明】
【技術分野】
【０００１】  本考案はゴミ袋を支える筒部に蛇腹状の折り目を設けた筒型のゴミ袋スタンドに関するものである。
【背景技術】
【０００２】  従来のゴミ袋スタンドはパイプ製、バケツ型、箱型等があるが、大量の落ち葉を簡便にゴミ袋に集めるなど、用途によって更なる低価格化、軽量化、取り扱い易さが求められる。
【先行技術文献】
【特許文献】
【０００３】
【特許文献１】特開２０１３−１６３５７５  広報
【特許文献２】特開２００５−２４７４８０  広報
【考案の概要】
【考案が解決しようとする課題】
【０００４】  小中学校などで発生する大量の落ち葉などを児童・生徒など誰でも容易にゴミ袋に収集出来るようにするため、ゴミ袋スタンドの低価格化、軽量化を図るとともに、取り扱いの簡便性を改善しようとするものである。
【課題を解決するための手段】
【０００５】  本考案は、底のない筒型のゴミ袋スタンドの側面に縦方向の折り目を蛇腹状に付けることにより筒の強度を確保し、更に筒の淵をガムテープなどで補強することによって、段ボール、防水加工ダンボール、プラスチックなどの適宜素材による形成ができ、低価格化、軽量化を可能とする。また、この折り目により横方向が伸び縮みし、ゴミ袋の取り付けが容易になり、かつ底を持たないことにより、重いゴミ袋を持ち上げること無く、容易に本スタンドを上方向に取り外すことができる。更に、この折り目に沿って本スタンドを畳むことにができ、運搬や収納が容易になる。
【考案の効果】
【０００６】  上述の様に、本考案の蛇腹状筒型ゴミ袋スタンドは、低価格化、軽量化、取扱いの簡便性が向上でき、学校の大量の落ち葉収集やイベントのゴミ集めなどゴミ袋を使った幅広い収集作業に役立つ。
【図面の簡単な説明】
【０００７】
【図１】本考案の蛇腹状筒型ゴミ袋スタンドの斜視図である。
【図２】本スタンドにゴミ袋をセットした状態の斜視図である。
【図３】ゴミ袋から本スタンドを取り外し、畳んだ状態の斜視図である。
【実施例】
【０００８】  以下、添付図面に従って実施例を説明する。１は段ボールや防水加工段ボールやプラスチック等適宜素材にて形成された筒型のスタンド本体である。２は蛇腹状の折り目で、１の強度を確保している。３はガムテープなどの補強材で、１の上下の淵を補強する。【０００９】  また、２の折り目は本スタンドを横方向に伸び縮みさせることができ、４のゴミ袋のサイズに合わせた取り付けを容易にする。【００１０】  また、ゴミが入って重くなった重いゴミ袋４ａを持ち上げることなく１を持ち上げることにより容易に取り外すことがでる。また２の折り目に沿って畳んだ１ａは、運搬や収納も容易である。
【符号の説明】
【００１１】  １    ゴミ袋スタンド本体
１ａ  折り畳んだ状態のゴミ袋スタンド本体
２    蛇腹状の折り目
３    淵の補強テープ
４    ゴミ袋
４ａ  ゴミの入ったゴミ袋
５    ゴミ
【図１】
0003232058.tif 000003
【図２】
0003232058.tif 000004
【図３】
0003232058.tif 000005
【手続補正書】
【提出日】令和3年1月28日(2021.1.28)
【手続補正１】
【補正対象書類名】実用新案登録請求の範囲
【補正対象項目名】請求項１
【補正方法】変更
【補正の内容】
【請求項１】
底のない筒型の形状をしたゴミ袋スタンドの側面に、筒の縦方向に沿った折り目を蛇腹状に付け、筒の上下の淵をガムテープ等の適宜素材で補強し、段ボール、防水加工された段ボール、プラスチックのいずれか１つを用いて形成したところを特徴とする蛇腹状筒型ゴミ袋スタンド。
(57)【要約】      （修正有）【課題】マスク装着時のマスクのズレを防止するズレ防止パッドを提供する。【解決手段】顔面と接触するマスク本体内側にマスクのズレ防止パッドを上縁部２と下縁部３、もしくはそのいずれかに貼り付け、マスクと顔面の摩擦力を間接的に増加させることによりマスクのズレを防止する。【選択図】図２
0003232060.tif 000002
【実用新案登録請求の範囲】
【請求項１】
短冊形の発泡体に両面テープを具備することを特徴とするマスクのズレ防止パッド。
【請求項２】
請求項１に記載のマスクのズレ防止パッドは、容易に任意の長さに切断でき、マスク内側の上縁、下縁、側面部等、好みの位置に貼付ができることを特徴とするマスクのズレ防止パッド。
【考案の詳細な説明】
【技術分野】
【０００１】      本考案は、マスクの内側に貼付して使用されるマスクのズレ防止パッドに関する。
【背景技術】
【０００２】    マスク装着時に声を出すとマスクが上下にズレてしまい、その都度マスクのズレを元に戻して使われており、煩わしくかつ見映えが悪い。
【考案の概要】
【考案が解決しようとする課題】
【０００３】  マスク装着時の口の開閉によるマスクの上下ズレは、マスクと顔面の摩擦力が弱いため摩擦力を増加させることによりマスクのズレを解決しようとするものである。
【課題を解決するための手段】
【０００４】  マスクに短冊形の柔らかい発泡体を両面テープで貼り付け、発泡体が顔面と接触することで間接的にマスクと顔面の摩擦力が増すことになり、マスクの上下ズレを防止する。【０００５】    両面テープはマスク生地の種類を選ばない接着性をもち、無臭で１００〜１４０μの厚みであることを特徴とする。【０００６】    マスクのズレ防止パッドの形状は短冊形で、幅５ｍｍから２０ｍｍ、厚み２ｍｍから７ｍｍ、直線、曲げの貼り付けが自在にできることを特徴とする。【０００７】    マスクのズレ防止パッドは、マスクの形状、顔の大きさ、起伏に合わせてハサミ、カッター、指等で容易に任意のサイズに切断、貼り付けることができることを特徴とする。
【図面の簡単な説明】
【０００８】
【図１】マスクのズレ防止パッドを示し、Ａは正面図、Ｂは側面図、Ｃは平面図、Ｄは背面面である。  Ａ、Ｂ、Ｄの網目部は両面テープである。
【図２】１のマスク本体内側の上縁部にマスクのズレ防止パッド２と下縁部に３を配置した図である。
【図３】図２のマスクを横からみたイメージ図である。
【図４】任意のサイズに切断したマスクのズレ防止パッド４と５を横方向に貼り付けたマスクの図である。
【図５】任意のサイズに切断したマスクのズレ防止パッド６と７を多重に貼り付けたマスクの図である。
【図６】図５のマスクを横からみたイメージ図である。
【図１】
0003232060.tif 000003
【図２】
0003232060.tif 000004
【図３】
0003232060.tif 000005
【図４】
0003232060.tif 000006
【図５】
0003232060.tif 000007
【図６】
0003232060.tif 000008